(57)【要約】      （修正有）【課題】棚に積まれた段ボール箱を手前に手動で前出しできると共に、段ボール箱を容易に開閉できる構造が簡単で持ち運びできる段ボール箱の前出し開封器を提供する。【解決手段】平板２の先端を下方にＬ形状に折り曲げ、折り曲げた折曲部３の下端に開封刃４を形成した引き寄せ開封部５を、棒状アーム７の先端に接合し、棒状アーム７の後端に把持部８を設けた構成をなし、引き寄せ開封部５の折曲部３を段ボール箱の背面に引っ掛けて手前に前出し、開封時には開封刃４で左右の段ボール箱の左右の上蓋に接着した梱包テープを切断して、この隙間に、Ｌ形状に折り曲げた折曲部３を差し込んで上蓋を引き上げて段ボール箱を開封するものである。【選択図】図１
0003186688.tif 000002
【実用新案登録請求の範囲】
【請求項１】
平板の先端を下方にＬ形状に折り曲げ、この折曲部の下端に開封刃を形成した引き寄せ開封部を、棒状アームの先端に接合し、棒状アームの後端または中間に把持部を設けた構成をなし、引き寄せ開封部の折曲部を段ボール箱の背面や梱包紐に引っ掛けて手前に前出しし、開封時には段ボール箱の閉じた左右の上蓋の間の隙間に、Ｌ形状に折り曲げた折曲部を差し込んで引き上げて段ボール箱を開封することを特徴とする段ボール箱の前出し開封器。
【請求項２】
引き寄せ開封部のＬ形状に折り曲げた折曲部の下端に設けた開封刃が、下端の全体または両端に形成されていることを特徴とする請求項１記載の段ボール箱の前出し開封器。
【請求項３】
把持部が木製またはプラスチック、もしくは棒状アームにローレット加工した滑り止め部で形成されていることを特徴とする請求項１記載の段ボール箱の前出し開封器。
【請求項４】
平板の先端を下方にＬ形状に折り曲げ、この折曲部の下端に開封刃を形成した引き寄せ開封部を、棒状アームの先端に接合し、棒状アームの後端側に、引き寄せ開封部側に向かって開口したバンド挿入部を形成した刃取付け部を取付け、この内側に切断刃を設けた構成をなし、引き寄せ開封部の折曲部を段ボール箱の背面や梱包テープバンドに引っ掛けて手前に前出しし、開封時には段ボール箱を梱包するテープバンドを、バンド挿入部に挿入して棒状アームを引くことにより切断刃でテープバンドを切断した後、段ボール箱の左右の上蓋の間の隙間に、Ｌ形状に折り曲げた折曲部を差し込んで引き上げて段ボール箱を開封することを特徴とする段ボール箱の前出し開封器。
【請求項５】
引き寄せ開封部の先端を下方にＬ形状に折り曲げた折曲部を棒状アームの後部側に向かって傾斜させたことを特徴とする請求項１または４記載の段ボール箱の前出し開封器。
【考案の詳細な説明】
【技術分野】
【０００１】
本考案は、手動で段ボール箱の前出しや開封ができる器具に関するものである。
【背景技術】
【０００２】
流通センターや配送センター、ホームセンターなどでは、段ボール箱に入れられた商品が棚積みされている。これらの段ボール箱は、棚を有効に使うため、棚の奥にも積まれている。これら段ボール箱の中には３０Ｋｇを超す重いものがあり、棚からこれら段ボール箱を取り出す場合、従来は手作業により１個ずつ取り出しているが、棚の高い場所や、奥に積んである段ボール箱を手前に引出す作業は面倒で、労力のかかる作業であった。
【０００３】
またスーパーマーケットやコンビニなどでは多種類の商品が棚に陳列されている。陳列されている商品は手前の方から売れていくため手前の部分が空くことになり、奥にある商品を手前に出す前出作業が必要となる。このため、複数の細長ローラーを並設して、この両側に巻バネを取付け、ローラーの上に商品を並べ、自動的に前出しできる商品の自動前出装置（特許文献１）がある。しかしながら、これは陳列棚に陳列した１個ずつの商品を前出しするもので、段ボール箱の前出しには装置が複雑で高価になる問題があった。
【０００４】
また床や台車、パレットの上に降ろした段ボール箱の蓋を開封する場合、現状ではカッターを用いて梱包テープを切断しているが、内部の商品を傷付ける恐れがあった。また梱包テープを切断した後、手で蓋を引き起こして開封しているが、かがんだ姿勢で作業するので労力がかかる問題があった。
【０００５】
また従来、容器が収められた段ボール箱を、超音波カッターやウォータージェットにより、段ボール箱の側面を切断して箱を開封する箱開封装置（特許文献２）がある。しかしながらこの箱開封装置は、設備が大掛かりとなり、スーパーマーケットやコンビニなどでは利用できない。
【０００６】
またりんごやみかんなどの果物を梱包した段ボール箱は、梱包テープを使用せず、大型のホッチキスを使用して梱包されている。このホッチキスの針は手で外すことが難しく、通常はマイナスドライバーやペンチを用いて外しているが、開封に手間と労力がかかる問題があった。
【先行技術文献】
【特許文献】
【０００７】
【特許文献１】特開平７−２６０号公報
【特許文献２】特開２００６−１１７３０６号公報
【考案の概要】
【考案が解決しようとする課題】
【０００８】
本考案は上記問題を改善し、棚に積まれた段ボール箱を手前に手動で前出しできると共に、段ボール箱を容易に開閉できる構造が簡単で持ち運びできる段ボール箱の前出し開封器を提供するものである。
【課題を解決するための手段】
【０００９】
本考案の請求項１記載の段ボール箱の前出し開封器は、平板の先端を下方にＬ形状に折り曲げ、この折曲部の下端に開封刃を形成した引き寄せ開封部を、棒状アームの先端に接合し、棒状アームの後端または中間に把持部を設けた構成をなし、引き寄せ開封部の折曲部を段ボール箱の背面や梱包紐に引っ掛けて手前に前出しし、開封時には段ボール箱の閉じた左右の上蓋の間の隙間に、Ｌ形状に折り曲げた折曲部を差し込んで引き上げて段ボール箱を開封することを特徴とするものである。
【００１０】
本考案の請求項２記載の段ボール箱の前出し開封器は、請求項１において、引き寄せ開封部のＬ形状に折り曲げた折曲部の下端に設けた開封刃が、下端の全体または両端に形成されていることを特徴とするものである。
【００１１】
本考案の請求項３記載の段ボール箱の前出し開封器は、請求項１において、把持部が木製またはプラスチック、もしくは棒状アームにローレット加工した滑り止め部で形成されていることを特徴とするものである。
【００１２】
本考案の請求項４記載の段ボール箱の前出し開封器は、平板の先端を下方にＬ形状に折り曲げ、この折曲部の下端に開封刃を形成した引き寄せ開封部を、棒状アームの先端に接合し、棒状アームの後端側に、引き寄せ開封部側に向かって開口したバンド挿入部を形成した刃取付け部を取付け、この内側に切断刃を設けた構成をなし、引き寄せ開封部の折曲部を段ボール箱の背面や梱包テープバンドに引っ掛けて手前に前出しし、開封時には段ボール箱を梱包するテープバンドを、バンド挿入部に挿入して棒状アームを引くことにより切断刃でテープバンドを切断した後、段ボール箱の左右の上蓋の間の隙間に、Ｌ形状に折り曲げた折曲部を差し込んで引き上げて段ボール箱を開封することを特徴とするものである。
【００１３】
本考案の請求項５記載の段ボール箱の前出し開封器は、請求項１または４において、引き寄せ開封部の先端を下方にＬ形状に折り曲げた折曲部を棒状アームの後部側に向かって傾斜させたことを特徴とするものである。
【考案の効果】
【００１４】
本考案に係る請求項１記載の段ボール箱の前出し開封器によれば、構造が簡単で持ち運びができ、棚の上段の奥に積まれた段ボール箱を、引き寄せ開封部の折曲部で手前に簡単に前出しできるので作業が容易で労力の負担を大幅に低減して作業性を高めることができる。このため従来のようにカッターを用いて切断しないので、内部の商品を傷付けることがなく、また腰をかがめる角度が少ないので作業姿勢も良くなり、腰にかかる負担を軽減することができる。またホッチキス針で梱包されている段ボール箱の場合、上蓋の間の隙間に手を差し込んで引き上げないので怪我をする恐れもない。
【００１５】
また引き寄せ開封部の開封刃を斜めにして、段ボール箱の閉じている上蓋を接着している梱包テープを切断し、この切断された隙間や、ホッチキス針で梱包されている段ボール箱の上蓋の間の隙間に、引き寄せ開封部の折曲部を差し込んで上蓋を引き上げることにより簡単に開封することができる。
このため従来のようにカッターを用いて切断しないので、内部の商品を傷付けることがなく、また腰をかがめる角度が少ないので作業姿勢も良くなり、腰にかかる負担を軽減することができる。
【００１６】
請求項２記載の段ボール箱の前出し開封器によれば、引き寄せ開封部のＬ形状に折り曲げた下端に設けた開封刃が、下端の全体または両端に形成されているので、開封刃を斜めにして梱包テープを容易に切断することができる。
【００１７】
請求項３記載の段ボール箱の前出し開封器によれば、把持部が木製またはプラスチックで形成されているので手に持ち易く、力を加えて前出しや開封を行なうことができる。また棒状アームの後部側にローレット加工した滑り止め部が形成され、ここを把持部としたもので棒状アームをそのまま加工して製造コストを安くすることができる。
【００１８】
請求項４記載の段ボール箱の前出し開封器によれば、テープバンドで梱包した段ボール箱が棚積みされている場合には、折曲部を段ボール箱の前面のテープバンドに引っ掛けて手前に引き寄せることにより簡単に前出しすることができる。次にバンド挿入部にテープバンドを挿入し、棒状アームを引っ張ることにより、切断刃でテープバンドが片側から容易に切断することができる。
【００１９】
請求項５記載の段ボール箱の前出し開封器によれば、折曲部を棒状アームの後部側に向かって傾斜させたので、上蓋を引き上げ易く作業性が優れている。
【考案を実施するための最良の形態】
【００２０】
以下本考案の実施の一形態を図１ないし図７を参照して詳細に説明する。図において１は段ボール箱の前出し開封器を示すもので、五角形状の金属平板２の先端を下方にＬ形状に折り曲げ、この折曲部３の下端に図２に示すように先端部を斜めに研磨した開封刃４を設けた引き寄せ開封部５が形成されている。この引き寄せ開封部５の上面中央には棒状アーム７の先端側が接合され、棒状アーム７の後端に木製の把持部８が挿着されている。
【００２１】
上記構成の段ボール箱の前出し開封器１の使用方法について説明する。先ず段ボール箱の前出し開封器１の木製の把持部８を片手で持って、図３および図４に示すように棚１０の上段の奥に積まれた段ボール箱１１の背面に、Ｌ形状に折り曲げた折曲部３を引っ掛けて手前に引いて前出しする。この時、他方の手は段ボール箱１１の反対側の側面に添えて真すぐ手前に引出せるようにする。
【００２２】
段ボール箱の前出し開封器の手前に前出しした段ボール箱１１は両手で持って台車などの上に載せて運搬する。従って棚１０の上段の奥に積まれた段ボール箱１１を、段ボール箱の前出し開封器１で手前に簡単に前出しできるので作業が容易で労力の負担を大幅に低減して作業性を高めることができる。
【００２３】
また棚１０から降ろして台車に載せた段ボール箱１１をスーパーマーケットやコンビニなどで商品棚に陳列する場合、図５に示すように、段ボール箱の前出し開封器１を手に持って、その引き寄せ開封部５の下端の開封刃４を斜めにして、段ボール箱１１の閉じている上蓋１１Ａ、１１Ｂを接着している梱包テープ１３の中央を切断する。この後、図６に示すように、上蓋１１Ａ、１１Ｂとの間の切断された隙間１４に、引き寄せ開封部５の折曲部３を差し込んで上蓋１１Ａを引き上げることにより片側を開封し、次に上蓋１１Ｂを折曲部３で引き上げることにより上部を開封することができる。この場合、開封刃４による梱包テープ１３の切断長さは、折曲部３が差し込める長さだけ切断しても良い。
【００２４】
従って従来のようにカッターを用いて切断しないので、内部の商品を傷付けることがなく、また腰をかがめる角度が少ないので作業姿勢も良くなり、腰にかかる負担を軽減することができる。
【００２５】
また、りんごやみかんなどの果物を梱包した段ボール箱１１は図７に示すように大型のホッチキス針１６を使用して梱包されている。この場合、上蓋１１Ａ、１１Ｂの間の隙間１４に、引き寄せ開封部５の折曲部３を差し込んで上蓋１１Ａを引き上げることにより片側を開封する。次に上蓋１１Ｂを折曲部３で引き上げることにより上部を開封することができる。従って従来のようにマイナスドライバーやペンチを用いずに簡単に開封することができ作業性に優れている。
【００２６】
図８は本考案の他の実施の形態を示すもので、引き寄せ開封部５の、金属平板２の先端を下方にＬ形状に折り曲げた折曲部３を、棒状アーム７の後部側に向かって角度αで傾斜させたものである。また棒状アーム７の後部側はローレット加工した滑り止め部１７が形成され、ここを把持部８としたものである。この傾斜角度αは６０°〜８０°が望ましい。この構造では、折曲部３が傾斜しているので上蓋１１Ａ、１１Ｂを引き上げ易く、更に作業性が優れている。
【００２７】
図９は本考案の異なる他の実施の形態を示すもので、引き寄せ開封部５のＬ形状に折り曲げた折曲部３の下端に設けた開封刃が、その下端の両端に形成されているものである。これは両端のみを研磨加工すれば良いので加工性に優れている。
【００２８】
図１０は本考案の異なる他の実施の形態を示すもので、金属平板２の先端を下方にＬ形状に折り曲げ、この折曲部３の下端に開封刃４を形成した引き寄せ開封部５を、棒状アーム７の先端に接合し、棒状アーム７の後端側下部に、刃取付け部２０が取付けられている。この刃取付け部２０は略Ｕ字形に形成され、引き寄せ開封部５側に向かって開口したバンド挿入部１９が形成され、この内側に切断刃２１が傾斜して取付けられている。
【００２９】
プラスチックのテープバンド２２で梱包した段ボール箱１１が棚積みされている場合には、上記構成の段ボール箱の前出し開封器１の折曲部３を、段ボール箱１１の前面のテープバンド２２に引っ掛けて手前に引き寄せて前出しする。次に段ボール箱１１を梱包しているテープバンド２２を切断する場合、図１１に示すようにバンド挿入部１９にテープバンド２２を挿入し、棒状アーム７を矢印方向に引っ張ることにより、傾斜した切断刃２１でテープバンド２２が片側から順次切断され、容易に切断することができる。
【００３０】
この後、段ボール箱１１の上蓋１１Ａ、１１Ｂとの間の隙間１４に、引き寄せ開封部５の折曲部３を差し込んで上蓋１１Ａを引き上げることにより片側を開封し、次に上蓋１１Ｂを折曲部３で引き上げることにより上部を開封することができる。なお刃取付け部２０に取付けた切断刃２１の傾斜角度や刃の向きは任意に選定することができる。また上記説明では段ボール箱の前出し開封器を金属で形成した場合について説明したが、一部または全部をプラスチックで形成したものでも良い。
【００３１】
なお上記説明では図４に示すように、前出し開封器１を１本用いて段ボール箱１１の背面の片側に引っ掛けて前出しする場合について説明したが、左右の手に前出し開封器１を持って、段ボール箱１１の背面の両側に引っ掛けて前出ししても良い。また棒状アーム７の長さや引き寄せ開封部５の大きさは任意に選定することができる。
【図面の簡単な説明】
【００３２】
【図１】本考案の実施の一形態による段ボール箱の前出し開封器の斜視図である。
【図２】図１の引き寄せ開封部を拡大して示す側面図である。
【図３】図１の段ボール箱の前出し開封器を用いて棚積みされた段ボール箱を前出ししている状態を示す説明図である。
【図４】図３の棚積みされた段ボール箱を前出ししている状態を示す要部平面図である。
【図５】段ボール箱の梱包テープを開封刃で切断している状態を示す斜視図である。
【図６】図５の梱包テープを切断した隙間に折曲部を挿入して上蓋を引き上げて開封している状態を示す斜視図である。
【図７】ホッチキス針で梱包した段ボール箱の左右上蓋の間の隙間に折曲部を挿入して上蓋を引き上げて開封している状態を示す斜視図である。
【図８】本考案の他の実施の形態による、引き寄せ開封部５の先端を下方にＬ形状に折り曲げた折曲部を棒状アームの後部側に向かって傾斜させた段ボール箱の前出し開封器を示す側面図である。
【図９】本考案の異なる他の実施の形態による、Ｌ形状に折り曲げた折曲部の下端の両端に開封刃を形成した段ボール箱の前出し開封器の正面図である。
【図１０】本考案の異なる他の実施の形態による、棒状アームの後端側に、切断刃を取付けた刃取付け部を設けた段ボール箱の前出し開封器の正面図である。
【図１１】図１０の切断刃でテープバンドを切断している状態を示す段ボール箱の前出し開封器の斜視図である。
【符号の説明】
【００３３】
１    段ボール箱の前出し開封器                              
２    平板                                                  
３    折曲部                                                
４    開封刃                                                
５    引き寄せ開封部                                        
７    棒状アーム                                            
８    把持部                                                
１０  棚                                                    
１１  段ボール箱                                            
１１Ａ、１１Ｂ    上蓋                                      
１３  梱包テープ                                            
１４  隙間                                                  
１６  ホッチキス針                                          
１７  滑り止め部                                            
１９  バンド挿入部  
２０  刃取付け部  
２１  切断刃  
２２  テープバンド  
【図１】
0003186688.tif 000003
【図２】
0003186688.tif 000004
【図３】
0003186688.tif 000005
【図４】
0003186688.tif 000006
【図５】
0003186688.tif 000007
【図６】
0003186688.tif 000008
【図７】
0003186688.tif 000009
【図８】
0003186688.tif 000010
【図９】
0003186688.tif 000011
【図１０】
0003186688.tif 000012
【図１１】
0003186688.tif 000013